(57)【要約】【課題】  固定部材の加工を減少すると共に、ガイドレールに位置検出板を取付る作業が容易なエレベーターの位置検出装置を得ること。【解決手段】  エレベーターのかご７を摺動案内する立設されたガイドレール１２に対して略垂直方向に設けられた固定部材３４と、被検出板３６に接近したことを検出して位置検出信号を発生すると共に、かご７に連結固定された位置検出器２２と、固定部材３４を用いて摺動移動可能な摺動部材３２と、摺動部材３２の突起３２tを固定部材３４の凹部３４uに固定すると共に、被検出板３６を摺動部材３２に固定する手段を備え、被検出板３４には、摺動部材３２に固定された状態においてガイドレール１２に対して略水平方向に長孔３６eが設けられており、該長孔３６eを用いて摺動部材３２に固定するものである。【選択図】      図３
2008056455.tif 000002
【特許請求の範囲】
【請求項１】
エレベーターのかごを摺動案内する立設されたガイドレールに対して略垂直方向に設けられた固定部材と、
前記被検出体に接近したことを検出して位置検出信号を発生すると共に、前記かごに連結固定された検出器と、
前記固定部材を用いて摺動移動可能な摺動部と、
前記摺動部を前記固定部材に第１固定する第１固定手段と、
前記被検出体を前記摺動部に第２固定する第２固定手段とを備え、
前記被検出体には、前記摺動部に固定された状態において前記ガイドレールに対して略水平方向に長孔が設けられており、該長孔を用いて前記第２固定する、
ことを特徴とするエレベーターの位置検出装置。
【請求項２】
前記第１固定手段は、前記固定部材には、複数の凹部が設けられており、
前記摺動部には、前記凹部と係合する突起が設けられている、
ことを特徴とする請求項１に記載のエレベーターの位置検出装置。
【発明の詳細な説明】
【技術分野】
【０００１】
本発明は、エレベーターの位置検出装置に関するものである。
【背景技術】
【０００２】
従来のエレベーターの位置検出装置は、下記特許文献１に記載のように、昇降路に立設されたガイドレールにそれぞれ階床位置に対応して装着され上下方向に沿って配設された複数列の孔を有する位置検出板と、前記昇降路を昇降するかごに装着され、前記位置検出板の孔と対向するとこれを検出してかご位置信号を発する位置検出器を備えたものである。
【０００３】
かかるエレベーターの位置検出装置によれば、ガイドレールに装着された位置検出器の孔を、かごに装着された位置検出器で検出するようにしたため、かご位置は絶対位置で検出され、精度良く位置検出ができる。
【特許文献１】特開平３−６７８１号公報
【発明の開示】
【発明が解決しようとする課題】
【０００４】
しかしながら、かごの大きさ、昇降路の形状などに応じて、位置検出板の取付け位置を変えなければならず、ガイドレールに固定される固定部材を準備しておいて、該固定部材には、上下、左右に多数の孔を設けて該孔を選択して上記位置検出板を取付けていた。
このため、固定部材の孔加工が煩雑であると共に、位置検出板を固定部材に取付ける作業が煩雑であるという課題があった。
【０００５】
本発明は、上記のような課題を解決するためになされたもので、上記固定部材の加工を減少すると共に、ガイドレールに位置検出板を取付る作業が容易なエレベーターの位置検出装置を提供することを目的とする。
【課題を解決するための手段】
【０００６】
第１の発明に係るエレベーターの位置検出装置は、エレベーターのかごを摺動案内する立設されたガイドレールに対して略垂直方向に設けられた固定部材と、前記被検出体に接近したことを検出して位置検出信号を発生すると共に、前記かごに連結固定された検出器と、前記固定部材を用いて摺動移動可能な摺動部と、前記摺動部を前記固定部材に第１固定する第１固定手段と、前記被検出体を前記摺動部に第２固定する第２固定手段とを備え、
前記被検出体には、前記摺動部に固定された状態において前記ガイドレールに対して略水平方向に長孔が設けられており、該長孔を用いて前記第２固定する、ことを特徴とするものである。
【０００７】
第２の発明に係るエレベーターの位置検出装置における第１固定手段は、固定部材には、複数の凹部が設けられており、摺動部には、該凹部と係合する突起が設けられている、ことを特徴とするものである。
【発明の効果】
【０００８】
第１の発明によれば、固定部材の加工を減少すると共に、ガイドレールに被検出体を取付る作業が容易なエレベーターの位置検出器を得ることができる。
【０００９】
第２の発明によれば、第１固定手段を固定部材及び摺動部を用いたので、簡易に構成できる。
【発明を実施するための最良の形態】
【００１０】
実施の形態１．
本発明の一実施の形態を図１から図４によって説明する。図１は本発明の一実施の形態を示すエレベーターの位置検出装置が昇降路内に取付けられた全体図、図２は図１に示す位置検出装置の平面図、図３は図１に示す位置検出装置の正面図、図４は図１に示す位置検出装置の固定部材及び摺動部材の斜視図である。
図１において、エレベーター１は、巻上機の綱車３と返し車４にロープ５が掛けられ、該ロープ５の一端と他端にそれぞれかご７、釣合い錘９が固定されており、昇降路にかご７を摺動案内するガイドレール１２が立設固定され、該ガイドレール１２と摺動係合するガイドシュー１４がかご７に固定されている。
エレベーター１は、制御部５０と、巻上機の綱車３を回転させると共に、制御部５０により駆動・制御されるモータ６０とを備えている。なお、かご７には、各階に設けられた乗場８a〜８cに対して突設した敷居７aが設けられている。
【００１１】
エレベーターの位置検出装置３０は、ガイドレール１２に対して略垂直方向に固定される板状の固定部材３４と、固定部材３４に移動可能な摺動部としての摺動部材３２と、摺動部材３２に固定された被検出体としての略Ｌ形状の被検出板３６と、被検出板３６に接近したことを検出して位置検出信号を発生すると共に、かご７に連結固定された位置検出器２２と、を備えている。
【００１２】
摺動部材３２は、側面視略コ形状で、両先端部が内側に曲がり、固定部材３４を摺動案内するように略凸形状の空洞部を有し、表面に二つのネジ孔３２ｅが設けられている。固定部材３４には、複数の凹部３４ｕと、該凹部３４ｕの直下に目盛３４ｍとが設けられており、摺動部材３２には、凹部３４ｕと係合する突起３２ｔが設けられている。そして、固定部材３４の凹部３４ｕと、摺動部材３２の突起３２ｔとが第１固定手段を成している。
【００１３】
被検出板３６は略Ｌ形状で、取付け部３６ａと検出部３６ｓとから成り、取付け部３６ａには、摺動部材３２に固定された状態においてガイドレール１２に対して略水平方向に長孔３６ｅが設けられている。取付けネジ３８を被検出板３６の長孔３６ｅに通して摺動部材３２のネジ孔３２と螺合して摺動部材３２に固定する第２固定手段を形成している。
【００１４】
上記のように構成されたエレベーターの位置検出装置の調整を図１から図４によって説明する。いま、かご７に検出器２２を固定した後、被検出板板３６の検出部３６ｓが検出器２２の凹部の中央に位置するように、摺動部材３２の突起３２ｔを固定部材３４の凹部３４ｕに係合して固定する。次に、被検出板３６を上下動して予め定められた検出範囲になるようにした後、取付けネジ３８を被検出板３６の長孔３６ｅに通してネジ孔３２ｅに螺合して被検出板３６を摺動部材３２に固定する。
【００１５】
上記実施形態による位置検出器３０によれば、かご７を摺動案内する立設されたガイドレール１２に対して略垂直方向に設けられた固定部材３４と、かご７に連結固定された検出器２２と、固定部材３４を用いて摺動移動可能な摺動部材３２と、摺動部材３４を固定部材に固定するために、固定部材３４には、複数の凹部３４ｕが設けられ、摺動部材３２には、凹部３４ｕと係合する突起３２ｔが設けられ、被検出板３６を摺動部材３４に固定するために、被検出板３６は、摺動部材３２に固定された状態においてガイドレール１２に対して略水平方向に長孔３６ｅが設けら、該長孔３６ｅに取付けネジ３８を通して摺動部材３２に固定する。
これにより、固定部材３４の加工を減少すると共に、ガイドレール１２に被検出板３６を取付る作業が容易なエレベーターの位置検出器３０を得ることができる。
【産業上の利用可能性】
【００１６】
本発明は、エレベーターの位置検出装置に適用できる。
【図面の簡単な説明】
【００１７】
【図１】本発明の一実施の形態を示すエレベーターの位置検出装置が昇降路内に取付けられた全体図である。
【図２】図１に示す位置検出装置の平面図である。
【図３】図１に示す位置検出装置の正面図である。
【図４】図１に示す位置検出装置の固定部材及び摺動部材の斜視図である。
【符号の説明】
【００１８】
７  かご、１２ ガイドレール、１４ ガイドシュー、３０  位置検出装置、３２  摺動部材、３２ｕ  凹部、３２ｔ  突起、３４  固定部材、３６  被検出板、３６ｅ  長孔、３８  取付けネジ。
【図１】
2008056455.tif 000003
【図２】
2008056455.tif 000004
【図３】
2008056455.tif 000005
【図４】
2008056455.tif 000006